(57)【要約】  本発明は、光生成器のアレイに関し、各光生成器は、表面に搭載された発光ダイオードなどの光源によって放射される光をコリメートするために湾曲ミラーの形における反射コリメーション光学系を含む。そのコリメーション光学系は、例えば、それらの光源が搭載されるプリント基板などの平面に平行な方向において、光をコリメートするように形成される。それらの光源は、コリメートの方向と平行に光を放射してよく、又は、例えば、コリメートの方向と垂直など非平行に光を放射してよく、この場合、コリメーション光学系は、光源からの光線の方向を変更する。光生成器のアレイは、観察者にテレビ表示部の周りを取り囲む画像として見えるピクセルで構成された画像を生成するために、その表示部と組み合わせて使用することができる。
2012529739.tif 000002
【特許請求の範囲】
【請求項１】
複数の出力光線を生成するための発光体アレイであり、
‐光伝播の第1及び第2方向を有する第1及び第2発光体、
‐該第1及び第2発光体からの放射光を、第1及び第2コリメート方向に沿ってコリメートするように配置された第1及び第2コリメート反射体、
‐前記第1及び第2コリメート方向に沿って伝播するコリメート光の方向を、第1及び第2出力光線を生成するために第1及び第2出力方向に変更するように配置された第1及び第2方向変更反射体、
を含む、発光体アレイ。
【請求項２】
請求項1に記載の発光体アレイであり、前記第1及び第2発光体は、平面上に位置し、前記第1及び第2主要コリメート反射体は、前記平面と実質的に平行に延びる第1及び第2コリメート方向に沿って光をコリメートするように配置されている、発光体アレイ。
【請求項３】
請求項1に記載の発光体アレイであり、前記第1方向変更反射体及び前記第2コリメート反射体は平面上に配置され、該第1方向変更反射体と該平面との間に形成される空間は、前記第2コリメート反射体の一部分を適合する、発光体アレイ。
【請求項４】
請求項1に記載の発光体アレイであり、前記第1及び第2主要コリメート反射体は、前記第1及び第2発光体の前記第1及び第2方向に沿った光伝播の方向を、第1及び第2コリメート方向に変更するように配置されている、発光体アレイ。
【請求項５】
前記第1及び第2コリメート方向は、実質的に平行である、請求項1に記載の発光体アレイ。
【請求項６】
前記第1及び第2コリメート反射体は、発光体ユニットの列を形成するように線上に分布している、請求項1に記載の発光体アレイ。
【請求項７】
前記第1及び第2コリメート反射体は、1次元のみにおいて光をコリメートするために1つの平面のみにおいて湾曲している、請求項1に記載の発光体アレイ。
【請求項８】
前記第1及び第2方向変更反射体は平坦ミラーである、請求項1に記載の発光体アレイ。
【請求項９】
表示装置であり、
‐画像を表示するための表示部、
‐請求項1に記載の発光体アレイ、
を含む、表示装置。
【請求項１０】
請求項9に記載の表示装置であり、前記発光体アレイは、前記第1及び第2発光体からの光が、前記表示部の端部に実質的に平行な方向においてコリメートされるように、前記表示装置の端部に沿って配置されている、表示装置。
【請求項１１】
前記第1及び第2コリメート反射体及び前記第1及び第2方向変更反射体は、前記表示装置の端部に沿って一直線に分布している、請求項9に記載の表示装置。
【請求項１２】
出力光線のアレイを生成するための方法であり：
‐光伝播の第1及び第2方向を有する第1及び第2発光体からの第1及び第2光線を生成するステップ、
‐前記第1及び第2光線を、第1及び第2コリメート方向に沿って前記光線をコリメートするように配置された第1及び第2コリメート反射体を使用してコリメートするステップ、
‐第1及び第2出力光線を生成するための第1及び第2方向変更反射体を使用して、前記第1及び第2コリメート方向に沿って伝播しているコリメート光を、第1及び第2出力方向に方向変更させるステップ、
を含む、方法。
【発明の詳細な説明】
【技術分野】
【０００１】
本発明は、発光体に関し、特に、光点のアレイの生成に対する発光体のアレイに関する。
【背景技術】
【０００２】
テレビ表示部において画像を見る際に、その表示部に形成される画像を、そのテレビ表示部の後ろ側の壁に形成されるピクセルで構成された画像と組み合わせることによって、観賞体験を拡張することが知られている。そのピクセルで構成された画像は、表示部の裏側に配置された発光体のアレイによって生成されていることがある。表示部が狭くなるにつれて、その発光体のアレイもよりコンパクトになることが望ましい。
【０００３】
特許文献1は、画像表示領域を含む表示装置に対する周囲照明系を開示している。実質的な点状であり、アレイにおいて置かれた制御可能な光源が備えられ、各々は、その表示部の周りを取り囲む観察者に視覚的に見える領域において、少なくとも1つの波長の光線を放射するように適合されている。それらの光源の実質的な点状の特性及びアレイ内におけるそれらの配置によって、その領域に放射される光線は、その画像表示領域の少なくとも部分的な延長部を与えるように、ピクセルで構成された画像を形成する。
【０００４】
特許文献1は、ピクセルで構成された画像の生成に対する発光体のアレイを開示しているが、さらにコンパクトな発光体アレイを得ることが目的である。
【先行技術文献】
【特許文献】
【０００５】
【特許文献１】国際公開第2008／068718号パンフレット
【発明の概要】
【発明が解決しようとする課題】
【０００６】
従って、本発明は、上述の欠点及び滞在的な他の欠点を軽減するか又は取り除くことに努めることが望ましい。特に、コンパクトであるが質の高い光線を供給する発光体アレイを提供することが、本発明の目的であると見なしてよい。
【課題を解決するための手段】
【０００７】
この目的及びいくつかの他の目的は、複数の出力光線を生成するための発光体アレイを供給することによる本発明の第1態様において得られ、その発光体アレイは、
‐光伝播の第1及び第2方向を有する第1及び第2発光体、
‐その第1及び第2発光体からの放射光を、第1及び第2コリメート方向に沿って平行にするように配置された第1及び第2コリメート反射体、
‐その第1及び第2コリメート方向に沿って伝播するコリメート光の方向を、第1及び第2出力光線を生成するために第1及び第2出力方向に変更するように配置された第1及び第2方向変更反射体、
を含む。
【０００８】
本発明は、特に、独占的ではなくても、コリメート出力光線のアレイを生成することが可能なコンパクトな発光体アレイを得ることに対して有利である。方向変更反射体を供給することによって、コリメート反射体の方向性は、出力光線の必要とされる方向によって境界されることから、コリメート反射体を、コンパクトな発光体アレイを形成するように方向付けることができる。さらに、それらのコリメート反射体は、より柔軟に方向付けることができることから、コリメート反射体のより長い波長が許容されてよく、それは、かなりコリメートされた出力光線を可能にする可能性がある。
【０００９】
1つの実施形態において、第1及び第2発光体は、平面において位置付けられ、第1及び第2主要コリメート反射体は、その平面と実質的に平行に延びる第1及び第2コリメート方向に沿って、光をコリメートするように配置される。例えばプリント基板などの平面に沿って、その平面に、例えば垂直に離れる方向において低い高さを有する発光体アレイを形成するように光をコリメートすることが有利であるかもしれない。
【００１０】
1つの実施形態において、第1方向変更反射体及び第2コリメート反射体は、平面において配置され、その第1方向変更反射体とその平面との間に形成される空間は、第2コリメート反射体の部分を適合する。従って、その第1及び第2発光体ユニットの設置面積は、その第1方向変更反射体が第2コリメート反射体に重なることを可能にすることによって低減してもよい。
【００１１】
1つの実施形態において、第1及び第2主要コリメート反射体は、第1及び第2発光体の第1及び第2方向に沿った光伝播の方向を、第1及び第2コリメート方向に変更するように配置されている。コリメート反射体が、発光体によって放射された光の方向を、その光をコリメートするのと同時に変更するように構成することが有利である。なぜならば、これは、コリメート方向に光を放射しない発光体の使用を可能にし、例えば、上部放射発光体を、コリメート反射体が搭載されてよい平面に搭載することを可能にするからである。
【００１２】
1つの実施形態において、第1及び第2コリメート方向は、実質的に平行である。それらの発光体及びコリメート反射体は、コリメート方向が自然の偏差内において実質的に平行であるように、例えば、プリント基板などの平面上に同一であるように搭載されてよい。それらの発光体及び／又はコリメート反射体は、また、それらのコリメート方向が、壁に形成される光点を、隣の光点からわずかにずらすために、例えば、10度などの小さい角度だけお互いから意図的にずれるように搭載してよい。
【００１３】
1つの実施形態において、第1及び第2コリメート反射体が、発光体ユニットの列を形成するように線上に分布している。その第1及び第2発光体ユニット及びその結果として、第1及び第2コリメート反射体は、コンパクト発光体アレイを形成するように列に沿って有利に分布してよい。発光体ユニットの単一の列は、例えば、異なる反射角を持った方向変更反射体を、光点の2次元アレイを形成するように構成することによって、光点のm×nなどの2次元アレイを形成するように配置されてよい。その代わりに、発光体ユニットの複数の列が、光点の2次元アレイを生成するように形成されてよい。
【００１４】
1つの実施形態において、第1及び第2コリメート反射体は、1つの次元においてのみ、光をコリメートするための1つだけの平面において湾曲している。例えば、壁の上に楕円状の点を生成するために、1つの方向においてのみ光をコリメートすることが有利である。しかし、当然のことながら、コリメート反射体は、また、2つの次元において光をコリメートするための2つの平面において、可能であれば2つの次元で異なるコリメート角で湾曲してもよい。
【００１５】
1つの実施形態において、第1及び第2方向変更反射体は、簡単な発光体アレイを備えるための平坦ミラーとして有利に形成されてよい。しかし、それらの方向変更反射体は、代わりに、光線をさらにコリメートするため及び／又はそれらの光線を壁において特定の形状を持つ光点を形成するために形作るために湾曲した反射体として形成されてもよい。
【００１６】
本発明の第2態様は表示装置に関し、その表示装置は、
‐画像を表示するための表示部、及び
‐第1態様による発光体アレイ、
を含む。
【００１７】
表示部を発光体アレイと組み合わせることによって、その発光体アレイは、その壁にまた形成されるべき表示部上の画像を拡張することによって、観賞体験を有利に拡大する。その表示画像の形成を制御する電子信号に依存して、その発光体アレイの発光体を電気的に制御するための制御装置を使用することによって、その表示部に表示された画像をいくらか真似る光点のマトリクスが、その表示部を取り囲む壁に形成され得る。
【００１８】
第2態様によると、1つの実施形態において、その発光体アレイは、第1及び第2発光体からの光が、表示部の端部と実質的に平行な方向にコリメートされるように、その表示装置の端部に沿って配置されている。有利にも、光をその表示部の端部と平行にコリメートすることによって、発光体アレイは、その発光体アレイが、表示装置の厚さを増やす原因とならないようによりコンパクトにすることができる。
【００１９】
第2態様によると、1つの実施形態において、第1及び第2コリメート反射体及び第1及び第2方向変更反射体は、その表示装置の端部に沿って一直線になって分布している。その第1及び第2発光体ユニット及び、その結果として、第1及び第2コリメート反射体は、コンパクト発光体アレイを形成するように、表示部の端部に平行に配置された列に沿って有利に分布していてよい。発光体ユニットの単一の列は、光点の2次元アレイを形成するように、例えば、異なる反射角を持つ方向変更反射体を構成することによって、m×nアレイなどの2次元アレイを形成するように配置されてよい。その代わりに、複数の発光体ユニットの列が、光点の2次元アレイを生成するように表示部の端部に沿って配置されてもよい。
【００２０】
本発明の第3態様は、出力光線のアレイを生成する方法に関し、その方法は、
‐光伝播の第1及び第2方向を有する第1及び第2発光体から第1及び第2光線を生成するステップ、
‐その第1及び第2光線を、第1及び第2コリメート方向に沿って光線をコリメートするように配置された第1及び第2コリメート反射体を使用してコリメートするステップ、
‐その第1及び第2コリメート方向に沿って伝播するコリメート光を、第1及び第2出力光線を生成するために第1及び第2方向変更反射体を使用して第1及び第2出力方向に方向変更するステップ、
を含む。
【００２１】
本発明の第1、第2及び第3態様の各々は、他の如何なる態様と組み合わせてもよい。本発明のこれら及び他の態様は、以下に記載される実施形態から明らかになり、解明されるであろう。
【００２２】
本発明は、ここで、付属の図表に関して、例としてのみ説明される。
【図面の簡単な説明】
【００２３】
【図１】図1Aは、発光体アレイを持つ表示装置を示し、図1Bは、発光体ユニットの配置を個別のユニットのマトリクスとして示す図である。
【図２】図2A-Bは、発光体ユニットの反射体要素及び発光体を示す図であり、図2Cは、発光体ユニットの斜視図である。
【図３】発光体ユニットの単一の列から壁における光点の2次元アレイを生成するための発光体アレイを示す図である。
【図４】図4A-Bは、コリメート反射体が1次元又は2次元において湾曲してよいことを示す図である。
【図５】発光体ユニットが占める設置面積が、どのようにして隣り合う発光体ユニット間における空の空間を使用することによって縮小され得るかを示す図である。
【図６】図1Aからの表示装置の側面図である。
【発明を実施するための形態】
【実施例】
【００２４】
図1Aは、表示装置190における周囲光源としての発光体アレイ100の応用を示す。表示装置190は、例えば、画像を表示するために表示部191を含むLCD表示部など、テレビ表示部であってよい。発光体アレイ100は、例えば、表示装置190の後ろに位置する壁193などに出力光線101を投影するための表示部の端部192に固定されるか又は一体化されてよい。
【００２５】
図1Bは、発光体アレイ100が、行111及び列112に配置された複数の発光体ユニット110を含むことを示す。各発光体ユニット110が、壁193を光点で照らすことが可能であってよい。各発光体ユニット110からの放射光の色は、調節可能であるか又は固定されていてよい。それに応じて、発光体アレイ100は、例えば、光点の3×8のアレイなど、壁193における光点のアレイを生成することが可能である。
【００２６】
その壁において、明確に定義された直径が大きくない光点を生成するためには、発光ダイオードなどの光源によって生成された光をコリメートする必要がある。コリメーション光学系（collimation  optics）は、発光体のアレイにおいてスペースを取ることから、コリメート光を生成することが可能な発光体のアレイを設計することは困難である。従って、発光体のアレイは、コンパクトにすることは出来るが、一体化されたコリメーション光学系を有する発光体ユニットのコンパクトアレイを作成することはさらに困難である。
【００２７】
図2Aは、発光体アレイ100の列112の一部分である第1及び第2発光体ユニット210a及び210bを示す。発光体ユニット210a、210bは、第1及び第2発光体201a、201b、第1及び第2コリメート反射体203a、203b、及び第1及び第2光反射体204a、204bをそれぞれ含む。その発光体ユニット210a、210bの構成要素は、例えば、プリント基板などの平面205の上に搭載されてよい。
【００２８】
発光体201a、201bは、その第1及び第2発光体201a、201bが、光伝播の第1及び第2方向をそれぞれ有するように、端部202を通して光を放射するように構成されている。端部放射発光体201a、201bに対する光伝播の方向206a、206bは、実質的に、いくつかの製作公差の範囲内において平面205に実質的に平行である。
【００２９】
図2Bは、発光体211a、211bが、第1及び第2発光体220a、220bが光伝播の第1及び第2方向216a、216bをそれぞれ有するように、上面212を通して光を放射するように構成された上部発光光源であることを除いては、図2Aの第1及び第2発光体ユニット210a、210bと同じである、第1及び第2発光体ユニット220a、220bを示す。上部放射発光体211a、211bに対する光伝播の方向216a、216bは、実質的に、いくらかの製作公差の範囲内において平面502に垂直である。
【００３０】
光伝播の方向206a、206b及び216a、216bは、発光体201a、201b又は211a、211bによって放射される全ての発散光の平均方向として理解される。従って、光伝播の正確な平均方向は、通常は、異なる発光体において異なる。
【００３１】
第1及び第2コリメート反射体203a、203bは、平面205と実質的に平行な方向及び端部放射発光体201a、201bの光伝播の方向206a、206bにおいて延びる第1及び第2コリメート方向231a、231b（図2Cにおいて示される）を有する。コリメート方向231a、231bは、発光体、コリメート反射体の耐性又は他のコリメート方向の偏差によって、平面205及び光伝播の方向206a、206bとだけおよそ平行であってよいことが理解されている。従って、その発光体アレイの完全な機能は、そのコリメート方向が、例えば、お互いに関して2度であるなど、2、3度ずれている場合でもなおかつ得られる。第1及び第2コリメート方向231a、231bは、上記の意味において実質的に平行である。
【００３２】
図2Cは、発光体201、コリメート反射体203及び平面205に搭載された方向変更反射体204を含む第1及び第2発光体ユニット210（210a、210b又は220a、220b）の斜視図を示す。便宜上、その第1及び第2発光体ユニット210a、210b又は220a、220bは、共通の発光体ユニット210として見なされ、その発光体ユニット210の構成要素は、第1及び第2発光体ユニット210a、210b、220a、220bの構成要素の間で区別をする必要が無い場合はいつでも第1及び第2発光体201a、201bの代わりに例えば発光体201として見なされる。
【００３３】
コリメート反射体203（203a、203b）は、発光体201からの放射光をコリメートするように配置される。従って、そのコリメート反射体203は、発光体201からの放射光の元の広がりに比べて低減された角度広がりを持つコリメートされた光線束208を得るように、発光体201によって放射される光線の角度広がりを低減する。各コリメートされた光線束208は、出力光線101を形成し、その複数の発光体ユニット210a、210bから出力された複数のコリメートされた光線束208は、壁に投影される出力光線202のアレイを形成する。その発光体が、端面202又は上面212を通して光を放射してもしなくても、コリメート反射体203は、コリメート方向231に沿って、すなわち平面205に平行に光をコリメートする。従って、光が上面212を通して平面205に実質的に垂直に方向216a、216bに放射されるとき、そのコリメート反射体は、さらに、上部放射発光体201の光伝播の方向216a、216bを、コリメート方向231に変更する。
【００３４】
方向変更反射体204、204a、204bは、第1及び第2コリメート方向231a、231bに沿って伝播するコリメート光の方向を、第1及び第2出力方向241a、241bにそれぞれ変更する。その方向変更された光線208は、壁193に投影される出力光線を構成する。それらの出力光線は、コリメート反射体203と方向変更反射体204との間に形成された開口部250を通して発光体ユニット210によって出力される。
【００３５】
図2Cに示されるように、発光体ユニット210、発光体201、コリメート反射体及び方向変更反射体は、発光体アレイ100の列112を形成するように線上に分布する。図1Bに示されるように列112を互いに隣り合って配置することによって、例えば、2×8アレイ、3×8アレイ又は一般的に光点のn×mアレイなどの光点の2次元アレイを生成することが可能である発光体ユニット210の2次元アレイが形成される。
【００３６】
図3は、方向332（上部の左側の図）に沿って線上に配置された発光体ユニット310のn×mの単一の列から壁193における光点のn×mアレイを生成するための代替の発光体アレイ300を示す。各発光体ユニット310は、コリメート反射体303及び方向変更反射体304、314、324、334を含む。発光体ユニット310の1次元アレイからの光点の2次元アレイを生成するために、方向変更反射体304、314、324、334は、前面図の右側に示されるように発光体ユニット310の方向332に垂直な方向331に沿って置かれた光点305、315、325、335を形成するように角度が付けられている。その方向変更反射体304、314、324、334は、2次元アレイにおける光点の様々な分布を得るようにお互いに関して様々な方法において角度が付けられていてよい。図3の底部は、方向331に沿って異なる距離で光点を配置することによって、壁を光点で書き込むように、方向変更ミラーを傾ける一例を示す。それらの光点の異なるサイズ及び楕円形状は、そのような異なる形状の光点を生成するようにコリメート反射体及び／又は方向変更反射体の曲率を形作ることによって得られてよい。
【００３７】
図4A及び図4Bは、左側に発光体ユニット204の側面図及び右側にCC切断線に沿った図を示す。図4Aは、それらのコリメート反射体203が平面205に垂直に第1方向401において光の広がりを軽減するために1つだけの平面において湾曲していることを示す。図4Bは、コリメート反射体203が、平面205に平行な第1方向401及び第2方向において光の広がりを軽減するために第1平面及び第2平面の両方において湾曲してよいことを示す。従って、図4Aにおけるコリメート反射体203は、1次元において発光体204からの光をコリメートすることが可能であるが、図4Bにおけるコリメート反射体203は、2次元においてコリメートすることが可能である。
【００３８】
方向変更反射体204は、光線を方向変更するだけのための平面又は平坦ミラーであってよい。その代わりに、その方向変更ミラーは、光線を方向変更させるため及び反射光の広がりを変えるための両方に対して湾曲してよい。例えば、その方向変更ミラーは、コリメート反射体によって最初にコリメートされている光のさらなるコリメーションに対して湾曲していてよい。方向変更反射体204は、光を1次元又は2次元においてコリメートするために1つ又は2つの平面において湾曲してよい。その方向変更反射体は、かなり不規則な形状において湾曲しているか又は形作られていてもよく、例えば、特別の光線効果の生成に対して傾斜し且つ湾曲した部分を局部的に備えてよい。
【００３９】
図5は、平面205に配置された第1発光体ユニット210aの第1方向変更反射体204a及び第2発光体ユニット210bの第2コリメート反射体203bを示す。その第1方向変更反射体204aは、平面205に関して、例えば、45度の角度で傾斜していることから、従って、平面205及び発光体ユニット210a、210bの列112に平行な方向に延びる。その方向変更反射体204aの反射側の反対の裏側及び平面205は、発光体201からの光が伝播しない仮想空間を構成する。従って、発光体ユニット210の行は、第1方向変更反射体204a及び第2コリメート反射体203bの裏側の間における距離を最小限にすることによって、第2コリメート反射体203bを第1方向変更反射体204aに近く配置することによってよりコンパクトにすることが出来る。そうすることによって、第1方向変更反射体204aと平面205との間に形成される空間501の一部分は、第2コリメート反射体203bの一部分を適合し、すなわち、その第2コリメート反射体の一部分に余裕を与える。従って、第1方向変更反射体204aが、第2発光体ユニット210bの一部分を適合し、場合によっては第2光源201bを適合するように、発光体ユニットの構成要素を配置することによって、空間が節約される。この空間節約利点を言い換えて説明するために、第1方向変更反射体204a及び第2コリメータ反射体203bの両方、及び場合によって第2発光体201bは、一般的なコリメート方向231に垂直である仮想平面503を通って延びる。
【００４０】
図6は、図1Aにおける表示装置190の側面図を示す。その側面図は、発光体アレイ100がどのように端部192に搭載されているか又は一体化されているかを示す。発光体ユニット110のコリメート反射体は、端部192に沿って光をコリメートする。従って、コリメータは、発光体201から受光するように配置され、その光を、端部192に実質的に平行な方向601、床602又はその表示装置が居間において正しく位置している場合は天井の方向において、コリメートする。表示装置190の端部192に沿って光をコリメートするように構成されたコリメート反射体を使用することによって、コリメータが光を、例えば表示装置190から離れる方向においてコリメートする構成に比べると、よりコンパクトの表示装置の設計を可能にする。さらに、コリメート反射体203は、端部192に沿った方向において主に延びることから、それらのコリメート反射体203は、表示装置190から離れる方向に主に延びるコリメート反射体に比べてより長くすることができ、従って、壁193においてより小さいピクセル点の生成に対し改善されたコリメート機能を可能にする。相対的に、より短いコリメート長は、光束に対してより大きい開口角（opening  angle）を生成し、その代わりに、壁193におけるピクセル点をより大きくし、場合によっては、隣のピクセルと大きく重なりさえする。
【００４１】
複数の発光体ユニット210を、端部192に沿って単一の行112又は複数の行112の何れか一方に分布させることによって、壁193におけるピクセル点のm×nアレイの生成が可能になる。それらのピクセル点は、表示部191における画像は、その表示部191の画像の空間的延長部を真似る壁193における色の付いた点のピクセル・アレイを生成することによってその表示領域の外側に延ばせることから、例えば、映画を見るときなどにユーザーの観賞体験を拡張する。
【００４２】
発光体アレイ100を持つ側面端部192を備えることに加えて、上端及び下端にも、表示装置190の周り360度においてピクセル点を生成するように発光体アレイを備えてもよい。表示部191の上端及び下端におけるコリメータのアレイ配置は、表示部191の上端及び下端と実質的に平行であり、床602又は天井に平行な方向において光をコリメートするように配置されていてよい。
【図１Ａ】
2012529739.tif 000003
【図１Ｂ】
2012529739.tif 000004
【図２Ａ】
2012529739.tif 000005
【図２Ｂ】
2012529739.tif 000006
【図２Ｃ】
2012529739.tif 000007
【図３】
2012529739.tif 000008
【図４Ａ】
2012529739.tif 000009
【図４Ｂ】
2012529739.tif 000010
【図５】
2012529739.tif 000011
【図６】
2012529739.tif 000012
【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
複数の出力光線を生成するための発光体アレイであり、
‐光伝播の第1及び第2方向を有する第1及び第2発光体、
‐該第1及び第2発光体からの放射光を、第1及び第2コリメート方向に沿ってコリメートするように配置された第1及び第2コリメート反射体、
‐前記第1及び第2コリメート方向に沿って伝播するコリメート光の方向を、第1及び第2コリメート出力光線を生成するために第1及び第2出力方向に変更するように配置された第1及び第2方向変更反射体、
を含む、発光体アレイ。
【請求項２】
請求項1に記載の発光体アレイであり、前記第1及び第2発光体は、平面上に位置し、前記第1及び第2主要コリメート反射体は、前記平面と実質的に平行に延びる第1及び第2コリメート方向に沿って光をコリメートするように配置されている、発光体アレイ。
【請求項３】
請求項1に記載の発光体アレイであり、前記第1方向変更反射体及び前記第2コリメート反射体は平面上に配置され、該第1方向変更反射体と該平面との間に形成される空間は、前記第2コリメート反射体の一部分を適合する、発光体アレイ。
【請求項４】
請求項1に記載の発光体アレイであり、前記第1及び第2主要コリメート反射体は、前記第1及び第2発光体の前記第1及び第2方向に沿った光伝播の方向を、第1及び第2コリメート方向に変更するように配置されている、発光体アレイ。
【請求項５】
前記第1及び第2コリメート方向は、実質的に平行である、請求項1に記載の発光体アレイ。
【請求項６】
前記第1及び第2コリメート反射体は、発光体ユニットの列を形成するように線上に分布している、請求項1に記載の発光体アレイ。
【請求項７】
前記第1及び第2コリメート反射体は、1次元のみにおいて光をコリメートするために1つの平面のみにおいて湾曲している、請求項1に記載の発光体アレイ。
【請求項８】
前記第1及び第2方向変更反射体は平坦ミラーである、請求項1に記載の発光体アレイ。
【請求項９】
表示装置であり、
‐画像を表示するための表示部、
‐請求項1に記載の発光体アレイ、
を含む、表示装置。
【請求項１０】
請求項9に記載の表示装置であり、前記発光体アレイは、前記第1及び第2発光体からの光が、前記表示部の端部に実質的に平行な方向においてコリメートされるように、前記表示装置の端部に沿って配置されている、表示装置。
【請求項１１】
前記第1及び第2コリメート反射体及び前記第1及び第2方向変更反射体は、前記表示装置の端部に沿って一直線に分布している、請求項9に記載の表示装置。
【請求項１２】
出力光線のアレイを生成するための方法であり：
‐光伝播の第1及び第2方向を有する第1及び第2発光体からの第1及び第2光線を生成するステップ、
‐前記第1及び第2光線を、第1及び第2コリメート方向に沿って前記光線をコリメートするように配置された第1及び第2コリメート反射体を使用してコリメートするステップ、
‐第1及び第2コリメート出力光線を生成するための第1及び第2方向変更反射体を使用して、前記第1及び第2コリメート方向に沿って伝播しているコリメート光を、第1及び第2出力方向に方向変更させるステップ、
を含む、方法。
【手続補正２】
【補正対象書類名】明細書
【補正対象項目名】０００７
【補正方法】変更
【補正の内容】
【０００７】
この目的及びいくつかの他の目的は、複数の出力光線を生成するための発光体アレイを供給することによる本発明の第1態様において得られ、その発光体アレイは、
‐光伝播の第1及び第2方向を有する第1及び第2発光体、
‐その第1及び第2発光体からの放射光を、第1及び第2コリメート方向に沿って平行にするように配置された第1及び第2コリメート反射体、
‐その第1及び第2コリメート方向に沿って伝播するコリメート光の方向を、第1及び第2コリメート出力光線を生成するために第1及び第2出力方向に変更するように配置された第1及び第2方向変更反射体、
を含む。
【手続補正３】
【補正対象書類名】明細書
【補正対象項目名】００２０
【補正方法】変更
【補正の内容】
【００２０】
本発明の第3態様は、出力光線のアレイを生成する方法に関し、その方法は、
‐光伝播の第1及び第2方向を有する第1及び第2発光体から第1及び第2光線を生成するステップ、
‐その第1及び第2光線を、第1及び第2コリメート方向に沿って光線をコリメートするように配置された第1及び第2コリメート反射体を使用してコリメートするステップ、
‐その第1及び第2コリメート方向に沿って伝播するコリメート光を、第1及び第2出力光線を生成するために第1及び第2方向変更反射体を使用して第1及び第2コリメート出力方向に方向変更するステップ、
を含む。
【国際調査報告】
2012529739.tif 000013
2012529739.tif 000014